(57)【要約】【課題】  大口径あるいは大電流のビームを発散させることなくスキャンさせるとともに、実用的でコンパクトな偏向走査装置を実現する。【解決手段】  本発明によるビーム偏向走査装置は、真空空間中で一定軌道を有する荷電粒子ビームに偏向走査を行なうことにより荷電粒子ビームの軌道を周期的に変更する。本ビーム偏向走査装置（２０）は対向配置した二極式偏向電極（２１、２２）により構成され、該二極式偏向電極はその対向方向の内面にビーム軸方向に延びる溝（２１Ａ、２２Ａ）を持つ左右対称形の凹状対向電極とした。【選択図】      図２
2006156236.tif 000002
【特許請求の範囲】
【請求項１】
真空空間中で一定軌道を有する荷電粒子ビームに偏向走査を行なうことにより荷電粒子ビームの軌道を周期的に変更するビーム偏向走査装置において、
該ビーム偏向走査装置は対向配置した二極式偏向電極により構成され、該二極式偏向電極はその対向方向の内面にビーム軸方向に延びる溝を持つ左右対称形の凹状対向電極としたことを特徴とするビーム偏向走査装置。
【請求項２】
前記溝を断面略円弧形状としたことを特徴とする請求項１に記載のビーム偏向走査装置。
【請求項３】
前記溝を断面多角形状としたことを特徴とする請求項１に記載のビーム偏向走査装置。
【請求項４】
前記溝の断面形状をビーム軸に沿って直線的または段階的に変化する形状としたことを特徴とする請求項１〜３のいずれかに記載のビーム偏向走査装置。
【請求項５】
前記二極式偏向電極の対向方向の内面を、ビーム軸の最大スキャン軌道に沿うように略平行に曲がるよう形成したことを特徴とする請求項１〜３のいずれかに記載のビーム偏向走査装置。
【請求項６】
前記二極式偏向電極には位相が同じで互いに逆極性の交流電圧、または位相が同じで互いに逆極性の三角波の交流電圧あるいは位相が同じで互いに逆極性の三角波に近い交流電圧をかけることを特徴とする請求項１〜５のいずれかに記載のビーム偏向走査装置。
【請求項７】
前記二極式偏向電極には値が等しく位相が同じで互いに逆極性の交流電圧をかけることを特徴とする請求項１〜５のいずれかに記載のビーム偏向走査装置。
【請求項８】
前記交流電圧に直流成分を重畳することを特徴とする請求項６または７に記載のビーム偏向走査装置。
【請求項９】
前記二極式偏向電極の各偏向電極をビーム軸方向に関して分割された複数の分割体で構成したことを特徴とする請求項１〜８のいずれかに記載のビーム偏向走査装置。
【請求項１０】
請求項１〜９のいずれかに記載のビーム偏向走査装置を備えたことを特徴とするイオン注入装置。
【請求項１１】
真空空間中で一定軌道を有する荷電粒子ビームに偏向走査手段により偏向走査を行なうことにより荷電粒子ビームの軌道を周期的に変更するビーム偏向走査方法において、
前記ビーム偏向走査手段を、互いに対向し合いかつ対向面にはビーム軸方向に延びる溝を持つ左右対称形の二極式偏向電極により構成し、
前記ビーム偏向走査手段中の荷電粒子ビームに該二極式偏向電極による均一な電界を作用させることにより偏向走査作用を行なうビーム偏向走査方法。
【請求項１２】
前記二極式偏向電極を、当該二極式偏向電極内で、ビーム進行方向のどの位置においてもビーム横幅方向の電場分布が均一となるように電場を形成する電極形状としたことを特徴とする請求項１１に記載のビーム偏向走査方法。
【請求項１３】
真空空間中で一定軌道を有する荷電粒子ビームに偏向走査手段により偏向走査を行なうことにより荷電粒子ビームの軌道を周期的に変更するビーム偏向走査方法において、
前記ビーム偏向走査手段を、互いに対向し合いかつ対向面にはビーム軸方向に延びる溝を持つ左右対称形の二極式偏向電極により構成し、
該二極式偏向電極の対向方向のビーム横幅が前記対向方向に直交する方向のビ一ム縦幅よりも大きい断面楕円形状の荷電粒子ビームを入射させて、前記対向方向において周期的な偏向走査作用を付加することを特徴とするビーム偏向走査方法。
【請求項１４】
前記断面楕円形状の荷電粒子ビームがその断面のどの部分もほぼ同じ偏向角度で偏向されるよう前記二極式偏向電極の電場が均一に分布する構成としたことを特徴とする請求項１３に記載のビーム偏向走査方法。
【請求項１５】
前記二極式偏向電極内では、ビームプロファイルの変化をできるだけ小さくし、その変化が偏向角に対し規則正しくなるように構成したことを特徴とする請求項１３または１４に記載のビーム偏向走査方法。
【請求項１６】
真空空間中で一定軌道を有する荷電粒子ビームに偏向走査を行なうことにより荷電粒子ビームの軌道を周期的に変更するビーム偏向走査方法において、
互いに対向し合いかつ対向面にはビーム軸方向に延びる溝を持つ左右対称形の二極式偏向電極により荷電粒子ビームを一方向に偏向走査し、
荷電粒子ビームが照射される基板を前記一方向に直交する方向に機械走査することによりイオン注入を行うことを特徴とするビーム偏向走査方法。
【請求項１７】
請求項１１〜１６のいずれかに記載のビーム偏向走査方法を用いることを特徴とするイオン注入方法。
【請求項１８】
真空空間中で一定軌道を有する荷電粒子ビームに偏向走査を行なうことにより荷電粒子ビームの軌道を周期的に変更するビーム偏向走査装置において、
該ビーム偏向走査装置を、互いに対向し合いかつ対向方向の内面にビーム軸方向に延びる溝を持つ左右対称形の凹状対向電極による二極式偏向電極により構成するとともに、該二極式偏向電極の入口側における対向部分の最内側両端部間の間隔を、電場均一ゾーンを使用するために、入射する加速荷電粒子ビームのビーム横幅よりもかなり広く構成したことを特徴とするビーム偏向走査装置。
【請求項１９】
前記二極式偏向電極の上流側と下流側に、それぞれビーム通過用の開口を有する遮蔽電極を隣接配置したことを特徴とする請求項１８に記載のビーム偏向走査装置。
【請求項２０】
前記遮蔽電極を上流側、下流側に、それぞれ複数枚配置したことを特徴とする請求項１９に記載のビーム偏向走査装置。
【請求項２１】
前記遮蔽電極には、それぞれ独立に固定もしくは可変の電圧をかけるよう構成したことを特徴とする請求項１９または２０に記載のビーム偏向走査装置。
【請求項２２】
前記遮蔽電極を上流側、下流側に各１枚配置し、グランドに接地するよう構成したことを特徴とする請求項１９に記載のビーム偏向走査装置。
【請求項２３】
前記遮蔽電極を上流側、下流側に各２枚配置し、偏向電極側の上流、下流それぞれ１枚は電子サプレッション電極として−１〜−２ｋＶ程度の直流電圧をかけ、上流、下流の他の一枚はグランド電極としてグランドに接地するよう構成したことを特徴とする請求項２０または２１に記載のビーム偏向走査装置。
【請求項２４】
前記サプレッション電極とグランド電極の開口は、ビーム横幅の方向に幅広で、ビーム縦幅の方向には電場をよく抑えるためにビーム縦幅より一回り大きい、縦横の比率の大きな長方形としたことを特徴とする請求項２３に記載のビーム偏向走査装置。
【請求項２５】
前記サプレッション電極およびグランド電極は、ビーム横幅の向きには電場が弱く、荷電粒子ビームの軌道（偏向角）には影響を与えないようにしたことを特徴とする請求項２３または２４に記載のビーム偏向走査装置。
【請求項２６】
上流側、下流側の遮蔽電極の開口は、ビーム横幅方向の幅をビーム横幅よりも十分大きくし、開口の左右のエッジのそばを荷電粒子ビームが通過しないように構成したことを特徴とする請求項１９〜２５のいずれかに記載のビーム偏向走査装置。
【請求項２７】
前記遮蔽電極近傍におけるビーム偏向面に垂直な方向の電場と当該ビーム偏向装置内における前記ビーム偏向面に垂直な方向の電場とが打ち消し合うように前記二極式偏向電極の溝の形状、寸法を決定することにより、当該偏向走査装置通過前後での前記ビーム偏向面に垂直な方向の荷電粒子ビームの集束発散を小さくしたことを特徴とする請求項１９に記載の偏向走査装置。
【請求項２８】
当該ビーム偏向装置内の中央部における前記ビーム偏向面に直交する方向の電場を他の領域よりもやや強めにすることにより、当該偏向走査装置通過後のビームプロファイルを良くしたことを特徴とする請求項１９に記載の偏向走査装置。
【請求項２９】
前記二極式偏向電極の各偏向電極をビーム軸方向に関して分割された複数の分割体で構成したことを特徴とする請求項１８〜２８のいずれかに記載のビーム偏向走査装置。
【請求項３０】
請求項１８〜２９のいずれかに記載のビーム偏向走査装置を備えたことを特徴とするイオン注入装置。
【請求項３１】
請求項１０または３０に記載のイオン注入装置において、
前記二極式偏向電極をビーム通過用の開口を有する箱体内に設置し、該箱体をイオンビームラインの途中経路においてイオンビームラインに対して着脱自在にしたことを特徴とするイオン注入装置。
【請求項３２】
前記イオンビームラインの途中経路に架台を設置し、該架台にはビーム通過用の開口を有するとともに前記箱体より大きなビームガイドボックスを設置し、該ビームガイドボックスに敷設されたレールに沿って前記箱体を移動可能にすることで前記箱体を該ビームガイドボックスに出し入れ自在にしたことを特徴とする請求項３１に記載のイオン注入装置。
【請求項３３】
前記レールはイオンビームラインの延在方向に直角な方向に延び、該レールの一端側の前記ビームガイドボックスの側面には前記箱体出し入れ用の扉が設けられていることを特徴とする請求項３２に記載のイオン注入装置。
【請求項３４】
前記箱体には、少なくとも前記二極式偏向電極と電源とを接続するためのフィードスルー構造による複数のターミナルを備えることを特徴とする請求項３１〜３３のいずれかに記載のイオン注入装置。
【請求項３５】
前記箱体内には、真空排気装置の排気口を設置したことを特徴とする請求項３１に記載のイオン注入装置。
【発明の詳細な説明】
【技術分野】
【０００１】
本発明は、イオンビームを含む荷電粒子ビームをスキャンさせるための偏向走査方法及び偏向走査装置に関する。本発明は特に、比較的電流の大きな荷電粒子ビームや比較的径の大きな荷電粒子ビーム、例えば断面形状における縦幅に対して横幅の大きな断面偏平形状の荷電粒子ビームをスキャン、ラスタリングさせるのに適した偏向走査方法及び偏向走査装置に関する。本発明は、イオン注入方法及びイオン注入装置に適しているが、これに限定されるものではない。
【背景技術】
【０００２】
イオン注入装置の構成を簡単に説明する。本明細書では、荷電粒子ビームはイオンビームを含むものとし、以下では荷電粒子ビームを単にビームと呼ぶことがある。
【０００３】
周知のように、イオン注入装置においてはイオンソースから引出し電極を通してビームが引き出され、引き出されたビームは質量分析磁石や質量分析スリットを通して質量分析される。質量分析の結果、必要なイオン種だけが選別され、選別されたビームは被照射物である半導体ウェハ等の基板に照射され、イオン注入が行われる。
【０００４】
通常、イオン注入装置は、ビームを基板面に対して偏向走査するための偏向走査装置を備える。この種の偏向走査装置には、磁気式偏向走査装置と静電式偏向走査装置とがある。磁気式偏向走査装置と静電式偏向走査装置の構成及び長所、短所について簡単に説明する。
【０００５】
磁気式偏向走査装置は、ギャップを介して対向する少なくとも２つの磁極片とコイルとから成る電磁石を備え、コイルに供給される電流はビームを偏向させる磁場をギャップ内に生成する。そして、コイルに供給する電流を変化させることにより、ギャップを通過するビームは磁気的にスキャンされる。磁気式偏向走査装置は、静電式のものに比べて広い領域で均一に磁場を発生、分布させやすいという長所を持つものの、構造的に大きく、複雑になりやすい上に消費電力が大きいという短所を持つ。また、磁場が漏れやすく、周波数が高くなるにつれて磁場を発生させにくくなるという短所もある。更に、ビームの偏向角が０度になる（つまり、直進する）瞬間があり、この時には磁場は消滅している。磁場が消滅している瞬間にビームを中和している二次電子が散逸し、ビーム径が拡大する。その結果、ビーム径が偏向角０度とそれ以外の時とで異なってしまう。
【０００６】
一方、静電式（電場式）偏向走査装置は、ギャップを介して対向する少なくとも２枚の対向電極を備え、走査電圧が２枚の対向電極に印加される。この走査電圧はギャップ内にそこを通過するビームを偏向させる電場を生成する。そして、走査電圧を変化させることにより、ギャップを通過するビームは静電式にスキャンされる（例えば、特許文献１参照）。静電式偏向走査装置は、磁気式のものに比べて構造的にコンパクトにしやすく、消費電力が少なくて済むという長所を持つ。しかしながら、均一な電場を発生させにくく、偏向後のビームが質的に磁場式のものより劣るという短所がある。
【０００７】
【特許文献１】特表２００３−５１３４１９号公報
【発明の開示】
【発明が解決しようとする課題】
【０００８】
ところで、ビームのスキャンにおいては、ビーム電流が大きかったり、断面が偏平形状、つまり横に細長い断面形状のような場合には、従来の電場式の偏向走査装置では対応が難しく、偏向走査装置の性能向上が不可欠となっている。
【０００９】
具体的には、断面形状が横に細長いビームをその長軸方向（横幅方向）にスキャンさせる場合、ビーム断面のどの部分もほぼ同じ偏向角度で曲がることが必要とされる。なお、偏向に際して偏向角度がばらついたとしても、そのばらつきが十分小さいか、簡単に補正できるのであれば問題は無いものとする。
【００１０】
そこで、本発明の課題は、大口径あるいは大電流のビームを発散させることなくスキャンさせるとともに、実用的でコンパクトな電場式の偏向走査装置を実現することにある。
【課題を解決するための手段】
【００１１】
本発明の第１の態様によるビーム偏向走査装置は、真空空間中で一定軌道を有する荷電粒子ビームに偏向走査を行なうことにより荷電粒子ビームの軌道を周期的に変更するビーム偏向走査装置において、該ビーム偏向走査装置は対向配置した二極式偏向電極により構成され、該二極式偏向電極はその対向方向の内面にビーム軸方向に延びる溝を持つ左右対称形の凹状対向電極としたことを特徴とする。
【００１２】
第１の態様によるビーム偏向走査装置においては、前記溝は断面略円弧形状あるいは断面多角形状としても良い。
【００１３】
第１の態様によるビーム偏向走査装置においてはまた、前記溝の断面形状をビーム軸に沿って直線的または段階的に変化する形状としても良い。
【００１４】
第１の態様によるビーム偏向走査装置においては更に、前記二極式偏向電極の対向方向の内面を、ビーム軸の最大スキャン軌道に沿うように略平行に曲がるよう形成しても良い。
【００１５】
第１の態様によるビーム偏向走査装置においては更に、前記二極式偏向電極には位相が同じで互いに逆極性の交流電圧、または位相が同じで互いに逆極性の三角波の交流電圧あるいは位相が同じで互いに逆極性の三角波に近い交流電圧をかけても良いし、値が等しく位相が同じで互いに逆極性の交流電圧をかけても良い。また、前記交流電圧には直流成分を重畳するようにしても良い。
【００１６】
第１の態様によるビーム偏向走査装置においては更に、前記二極式偏向電極の各偏向電極がビーム軸方向に関して分割された複数の分割体で構成されても良い。
【００１７】
本発明によればまた、上記いずれかのビーム偏向走査装置を備えたことを特徴とするイオン注入装置が提供される。
【００１８】
本発明によるビーム偏向走査方法は、真空空間中で一定軌道を有する荷電粒子ビームに偏向走査手段により偏向走査を行なうことにより荷電粒子ビームの軌道を周期的に変更する。
【００１９】
本発明の第２の態様によるビーム偏向走査方法は、前記ビーム偏向走査手段を、互いに対向し合いかつ対向面にはビーム軸方向に延びる溝を持つ左右対称形の二極式偏向電極により構成し、前記ビーム偏向走査手段中の荷電粒子ビームに該二極式偏向電極による均一な電界を作用させることにより偏向走査作用を行なうことを特徴とする。
【００２０】
第２の態様によるビーム偏向走査方法においては、前記二極式偏向電極を、当該二極式偏向電極内で、ビーム進行方向のどの位置においてもビーム横幅方向の電場分布が均一となるように電場を形成する電極形状とすることが好ましい。
【００２１】
本発明の第３の態様によるビーム偏向走査方法は、前記ビーム偏向走査手段を、互いに対向し合いかつ対向面にはビーム軸方向に延びる溝を持つ左右対称形の二極式偏向電極により構成し、該二極式偏向電極の対向方向のビーム横幅が前記対向方向に直交する方向のビ一ム縦幅よりも大きい断面楕円形状の荷電粒子ビームを入射させて、前記対向方向において周期的な偏向走査作用を付加することを特徴とする。
【００２２】
第３の態様によるビーム偏向走査方法においては、前記断面楕円形状の荷電粒子ビームがその断面のどの部分もほぼ同じ偏向角度で偏向されるよう前記二極式偏向電極の電場が均一に分布する構成とすることが好ましい。
【００２３】
第３の態様によるビーム偏向走査方法においてはまた、前記二極式偏向電極内では、ビームプロファイルの変化をできるだけ小さくし、その変化が偏向角に対し規則正しくなるように構成しても良い。
【００２４】
本発明の第４の態様によるビーム偏向走査方法は、互いに対向し合いかつ対向面にはビーム軸方向に延びる溝を持つ左右対称形の二極式偏向電極により荷電粒子ビームを一方向に偏向走査し、荷電粒子ビームが照射される基板を前記一方向に直交する方向に機械走査することによりイオン注入を行うことを特徴とする。
【００２５】
本発明によれば更に、上記いずれかのビーム偏向走査方法を用いることを特徴とするイオン注入方法が提供される。
【００２６】
本発明の第５の態様によるビーム偏向走査装置は、該ビーム偏向走査装置を、互いに対向し合いかつ対向方向の内面にビーム軸方向に延びる溝を持つ左右対称形の凹状対向電極による二極式偏向電極により構成するとともに、該二極式偏向電極の入口側における対向部分の最内側両端部間の間隔を、電場均一ゾーンを使用するために、入射する加速荷電粒子ビームのビーム横幅よりもかなり広く構成したことを特徴とする。
【００２７】
第５の態様によるビーム偏向走査装置においては、前記二極式偏向電極の上流側と下流側に、それぞれビーム通過用の開口を有する遮蔽電極を隣接配置することが好ましい。
【００２８】
第５の態様によるビーム偏向走査装置においてはまた、前記遮蔽電極を上流側、下流側に、それぞれ複数枚配置しても良い。
【００２９】
第５の態様によるビーム偏向走査装置においては更に、前記遮蔽電極には、それぞれ独立に固定もしくは可変の電圧をかけるよう構成しても良い。
【００３０】
第５の態様によるビーム偏向走査装置においては更に、前記遮蔽電極を上流側、下流側に各１枚配置し、グランドに接地するよう構成しても良い。
【００３１】
第５の態様によるビーム偏向走査装置においては更に、前記遮蔽電極を上流側、下流側に各２枚配置し、偏向電極側の上流、下流それぞれ１枚は電子サプレッション電極として−１〜−２ｋＶ程度の直流電圧をかけ、上流、下流の他の一枚はグランド電極としてグランドに接地するよう構成しても良い。
【００３２】
第５の態様によるビーム偏向走査装置においては更に、前記サプレッション電極とグランド電極の開口は、ビーム横幅の方向に幅広で、ビーム縦幅の方向には電場をよく抑えるためにビーム縦幅より一回り大きい、縦横の比率の大きな長方形とすることが好ましい。
【００３３】
第５の態様によるビーム偏向走査装置においては更に、前記サプレッション電極およびグランド電極は、ビーム横幅の向きには電場が弱く、荷電粒子ビームの軌道（偏向角）には影響を与えないようにすることが好ましい。
【００３４】
第５の態様によるビーム偏向走査装置においては更に、上流側、下流側の遮蔽電極の開口は、ビーム横幅方向の幅をビーム横幅よりも十分大きくし、開口の左右のエッジのそばを荷電粒子ビームが通過しないように構成することが好ましい。
【００３５】
第５の態様によるビーム偏向走査装置においては、前記遮蔽電極近傍におけるビーム偏向面に垂直な方向の電場と当該ビーム偏向装置内における前記ビーム偏向面に垂直な方向の電場とが打ち消し合うように前記二極式偏向電極の溝の形状、寸法を決定することにより、当該偏向走査装置通過前後での前記ビーム偏向面に垂直な方向の荷電粒子ビームの集束発散を小さくすることができる。
【００３６】
第５の態様によるビーム偏向走査装置においてはまた、当該ビーム偏向装置内の中央部における前記ビーム偏向面に直交する方向の電場を他の領域よりもやや強めにすることにより、当該偏向走査装置通過後のビームプロファイルを良くすることができる。
【００３７】
第５の態様によるビーム偏向走査装置においても、前記二極式偏向電極の各偏向電極をビーム軸方向に関して分割された複数の分割体で構成しても良い。
【００３８】
本発明によれば更に、上記第５の態様のいずれかのビーム偏向走査装置を備えたことを特徴とするイオン注入装置が提供される。
【００３９】
上記のイオン注入装置においては、前記二極式偏向電極をビーム通過用の開口を有する箱体内に設置し、該箱体をイオンビームラインの途中経路においてイオンビームラインに対して着脱自在にすることが好ましい。
【００４０】
上記のイオン注入装置においてはまた、前記イオンビームラインの途中経路に架台を設置し、該架台にはビーム通過用の開口を有するとともに前記箱体より大きなビームガイドボックスを設置し、該ビームガイドボックスに敷設されたレールに沿って前記箱体を移動可能にすることで前記箱体を該ビームガイドボックスに出し入れ自在にすることが好ましい。この場合、前記レールはイオンビームラインの延在方向に直角な方向に延び、該レールの一端側の前記ビームガイドボックスの側面には前記箱体出し入れ用の扉が設けられることが好ましい。
【００４１】
上記のイオン注入装置においては更に、前記箱体には、少なくとも前記二極式偏向電極と電源とを接続するためのフィードスルー構造による複数のターミナルを備えることが好ましい。
【発明の効果】
【００４２】
単純な平面の偏向電極による従来の偏向走査装置では、大口径のビームを偏向させると、ビームのプロファイルが偏向角の変化や偏向電極間を通過する位置によって大きくかつ複雑に変化してしまう。これに対し、本発明による偏向走査装置においては、偏向電極を、ビームのプロファイルの変化をできるだけ小さくし、その変化が偏向角に対しできるだけ規則正しくなるように設計することができる。しかも、実用的でコンパクトな偏向走査装置とすることができることにより、荷電粒子ビームによる処理装置全体を従来と同じサイズで提供できる。
【発明を実施するための最良の形態】
【００４３】
図１（ａ），（ｂ）を参照して、本発明を荷電粒子ビームによる処理装置のうち、特に枚葉式イオン注入装置に適用した実施の形態について説明する。図１（ａ）は枚葉式イオン注入装置の概略構成を平面図にて示し、図１（ｂ）は図１（ａ）の側面図である。
【００４４】
図１（ａ），（ｂ）において、イオンソース１１で発生されたイオンは、図示しない引出し電極によりイオンビーム（以下、ビームと呼ぶ）として引き出される。引き出されたビームは、質量分析磁石装置１２により質量分析されて必要なイオン種のみが選択される。必要なイオン種のみから成るビームは、ビーム整形装置１３により所望の断面形状に整形される。ビーム整形装置１３は、Ｑ（Ｑｕａｄｒａｎｔ）−レンズ等により構成される。整形された断面形状を持つビームは、本発明による偏向走査装置２０により図１（ａ）の面に平行な方向にスキャンされる。偏向走査装置２０はその上流側、下流側にそれぞれ配置された遮蔽電極２５、２６を有する。偏向走査装置２０、遮蔽電極２５、２６については後で詳しく説明する。
【００４５】
スキャンされたビームは、Ｐ−レンズ１４により再平行化され、偏向角０度の軸に平行にされる。図１（ａ）では、偏向走査装置２０によるビーム１０のスキャン範囲を黒の太い線と破線とで示しており、偏向走査装置２０から出た黒の太い線と破線を最大スキャン軌道として定義付けすることができる。Ｐ−レンズ１４からのビームは、１つ以上の加速／減速電極１５を経由して角度エネルギーフィルター１６に送られる。角度エネルギーフィルター１６では、ビームのエネルギーに関する分析が行われ、必要なエネルギー種のイオンのみが選択される。図１（ｂ）に示されるように、角度エネルギーフィルター１６においては選択されたイオン種のみがやや下方に偏向される。このようにして選択されたイオン種のみから成るビームが被照射物である半導体ウェハ１７に照射される。半導体ウェハ１７に照射されなかったビームは、ビームストッパ１８に入射してエネルギーが消費される。通常、イオンソース１１から半導体ウェハ１７が収容されているチャンバまでの間の構成はイオンビームラインと呼ばれる。ビームの経路はすべて高真空状態に維持され外気とはシールされている。
【００４６】
なお、図１（ａ）において半導体ウェハ１７に隣接して示した矢印はビームがこれらの矢印の方向にスキャンされることを示し、図１（ｂ）において半導体ウェハ１７に隣接して示した矢印は半導体ウェハ１７がこれらの矢印の方向に往復移動、すなわち機械走査されることを示している。つまり、ビームが、例えば一軸方向に往復スキャンされるものとすると、半導体ウェハ１７は、図示しない駆動機構により上記一軸方向に直角な方向に往復移動するように駆動される。
【００４７】
図２は、本発明による偏向走査装置の基本構成を斜視図で示し、図３は本発明による偏向走査装置について以降で説明されるｘ軸、ｙ軸、ｚ軸の関係を示すための図である。偏向走査装置２０は、ビームを間にして対向するように配置された一対の偏向電極２１、２２を備える。なお、図２の配置は一例にすぎず、偏向電極２１、２２の配置形態は、水平方向、つまりｘ軸方向に並べて配置する形態に限定されるものではない。例えば、偏向電極２１、２２はｙ軸方向に並べて配置されても良い。偏向電極２１、２２の上流側近傍、下流側近傍にはそれぞれ遮蔽電極２５、２６が一枚ずつ配置されている。なお、上流側、下流側の遮蔽電極は同じ形状である必要は無い。
【００４８】
偏向電極２１、２２はｚ軸に関して対称な形状を有し、ｚ軸側の面がｚ軸に関して対称になるように配置される。偏向電極２１、２２のｚ軸側の面には略円弧形の溝２１Ａ、２２Ａがｚ軸方向に延びるように形成されている。
【００４９】
図３のように、初期ビームはｚ軸方向に進むものとし、偏向電極２１、２２がｙｚ面に関して対称に配置された場合には、ビーム１０はｚｘ面内で偏向される。ビーム１０はまた、その断面形状がｙ軸方向の幅（以下では縦幅と呼ぶことがある）に比べてｘ軸方向の幅（以下では横幅と呼ぶことがある）が大きい、偏平形状である。また、ｚｘ面はビーム偏向面と呼ぶことがある。
【００５０】
遮蔽電極２５、２６は偏向電極２１、２２の電場が偏向走査装置２０外のビーム軌道上に漏洩するのを抑えるためのものであり、それぞれ開口部２５Ａ、２６Ａを有し、ビームはこれらの開口部２５Ａ、２６Ａを通過する。
【００５１】
図４（ａ）はｚ軸側の面が平坦面である従来の偏向電極３１、３２による電気力線及び電場を示す。一方、図４（ｂ）は、ｚ軸側の面にｚ軸方向に延びる略円弧形の溝２１Ａ、２２Ａを持つ本発明の偏向電極２１、２２による電気力線及び電場を示す。図４（ｂ）において、偏向電極２１、２２の対向面において最も近い間隔Ｌを、電極部分の最内側両端部間隔と定義付けするものとする。なお、いずれも図中右側の偏向電極に負−Ｖ、左側の偏向電極に正＋Ｖの電圧がかかっているものとする。そして、図中左右方向に延びる線が電気力線であり、上下方向に延びる線が等電位線、太い線の矢印が電場を示す。
【００５２】
以下に、図４（ａ）の偏向電極３１、３２（従来型と呼ぶ）と、図４（ｂ）の偏向電極２１、２２（本発明と呼ぶ）とを比較検討する。
【００５３】
はじめに、ｘ軸方向電場について検討する。
【００５４】
従来型は、偏向電極３１、３２のビーム側の対向面が平坦面であり、ビームの径（横幅）が比較的小さいので、ビームのどの断面部分でも、ほぼ同じ強さの偏向電場（ｘ軸方向電場）が作用すると考えて良い。
【００５５】
一方、本発明では、偏向電極２１、２２のｚ軸側の対向面に溝２１Ａ、２２Ａが形成されている。溝２１Ａ、２２Ａはｘ軸に関して対称にされている。この場合、ｚ軸の近くでは電気力線が集められ、ｚ軸の近くでｘ軸方向の電場成分は均一に近くなる。
【００５６】
図４（ａ）から明らかなように、従来型では、電気力線がｙ軸方向に大きく膨らんでおり、ｘ軸方向の電場（偏向電場）がｘ＝０でもっとも弱く、左右にゆくほど強くなる。
【００５７】
一方、本発明では、溝２１Ａ、２２Ａの半径の大きさや、これらの溝の深さ、偏向電極２１、２２間の間隔Ｌなどに依存して、ｘ＝０の周囲での電気力線の方向性が変化する。構造的に溝２１Ａ、２２Ａの寸法が十分大きければｘ＝０付近ほど偏向電場が強くなり、これらの溝の作用が小さくなるにつれて、ｘ＝０付近ほど偏向電場が弱くなる。実際には、断面偏平形状、つまり横幅の大きいビームを均一に同じ角度で曲げるには、偏向電場がｘ＝０のところで多少強まっている方が良い。
【００５８】
偏向電極２１、２２の上流側、下流側の遮蔽電極２５、２６では、開口部２５Ａ、２６Ａのｘ軸（左右）方向の幅を、ビームの横幅よりも十分大きくとり、開口部２５Ａ、２６Ａの左右のエッジのそばをビームが通過しないようにする。これは、エッジ近傍では電界が局所的に強くなっていて、ビームの一部だけが不規則に曲げられるからである。
【００５９】
次に、図５を参照してｙ軸方向電場について検討する。図５は、遮蔽電極、ここでは上流側の遮蔽電極２５の開口部２５Ａ付近の電場のｙ軸成分を示した図である。下流側の遮蔽電極２６の場合も同じと考えて良い。
【００６０】
ｙ軸方向の電場は、遮蔽電極２５の近くと、遮蔽電極２５から十分離れたところとで異なっている。ｙ軸方向の電場を考慮するにあたり、遮蔽電極２５近傍と、それ以外の領域に分けて考える。なお、遮蔽電極が上流側、下流側にそれぞれ複数ある場合は、それぞれ最も偏向電極に近い遮蔽電極を指すものとする。
【００６１】
ｉ）遮蔽電極近傍の電場
遮蔽電極２５は、電場が偏向走査装置２０外に漏洩しないように開口部２５Ａをできるだけ小さくする方が良い。よって遮蔽電極２５の開口部２５Ａの上下あるいは縦幅（ｙ軸方向幅）は、ビームの縦幅とほぼ同等の寸法になる。
【００６２】
しかし、図５に示すように、偏向電極２１、２２の影響で、遮蔽電極２５の開口部２５Ａの端面には局所的ではあるが比較的強い電場が生じている。開口部２５Ａが比較的細いため、どのビームも開口部２５Ａの上下端の電場を避けることはできない。
【００６３】
ビームの向きは図面手前から奥であり、図面手前に上流側の遮蔽電極２５があって、その奥に一対の偏向電極２１、２２がある。偏向電極の構造や電場分布がほぼ対称であれば、左側の偏向電極２２に正＋Ｖ、右側の偏向電極２１に負−Ｖの電圧がかかっている瞬間には、上流側の遮蔽電極２５の開口部２５Ａ付近には、図の向きの電場が生じている。
【００６４】
この遮蔽電極２５の開口部２５Ａの電場は、ビームがそこを通過する時、ｘ＜０（ｚ軸から左側）を通過すればビームを上下に発散させ、０＜ｘ（ｚ軸から右側）を通過すればビームを集束させる。この集束発散の作用は、ｘ＝０を境に左右で反転し、作用の大きさは、ｘ＝０から遠ざかるほど強くなる。
【００６５】
図５のさらに奥にある下流側の遮蔽電極２６の開口部２６Ａでも同様の電場が生じている。
【００６６】
遮蔽電極の開口部の電場は、遮蔽電極の開口部の近傍でのみ強く、少し離れると消滅してしまう。この電場分布は、そもそも偏向電極２１、２２の電位の影響を受けて生じているのであるが、偏向電極２１、２２の電界はその電極の近傍付近が極端に強いだけであるので、偏向電極２１、２２からはかなり遠いこともあって、偏向電極２１、２２の形を変えても方向性はほとんど変化しない（但し、電場の強さは変化する）。つまり、偏向電極が従来型か本発明のタイプであるかによらず常に同じ方向性の電場が生じている。
【００６７】
ｉｉ）上流側／下流側のどちらの遮蔽電極にも近くない場所のｙ軸方向（上下方向）電場
偏向走査装置２０内部で、上流側／下流側のどちらの遮蔽電極にも近くない場所では、偏向電極２１、２２の作る電場が支配的になる。
【００６８】
偏向電場の上下成分は、偏向電極２１、２２の溝２１Ａ、２２Ａの形状によって決まる。
【００６９】
左側の偏向電極に正＋Ｖ、右側の偏向電極に負−Ｖの電圧がかかっている場合、溝の有無とその形状により、電場の分布は図６（ａ），（ｂ）のようになる。
【００７０】
図６（ａ）の従来型の偏向電極３１、３２では、ｙ軸方向の電場が、上記ｉ）項の遮蔽電極の開口部の電場と同じ方向性をもっており、ｙ軸方向へのビームの集束発散を増幅させている。
【００７１】
図６（ｂ）の本発明による偏向電極２１、２２には適度な溝２１Ａ、２２Ａが形成されており、図６（ｃ）に矢印で示すように、遮蔽電極２５、２６から離れたｙ軸方向の電場が、上記ｉ）項の遮蔽電極の開口部近傍のｙ軸方向の電場を打ち消すような方向性を持つ。この上下方向の電場は、遮蔽電極の開口部近傍の電場と比べると非常に弱いが、作用する距離範囲が長いので、偏向走査装置２０全体では集束も発散もほぼ同程度の作用となる。
【００７２】
本発明による偏向電極２１、２２では、上記ｉ）、ｉｉ）項の上下方向の電場の作用がほぼ同じ大きさで打ち消し合うように、偏向電極２１、２２の溝２１Ａ、２２Ａの形状、寸法を決めることにより、偏向走査装置２０通過前後でビームの上下方向の集束発散を小さく抑えることができる。また、偏向電極中央部（ｚ軸方向の中央部）の電場（特にビーム偏向面に直交する方向の電場）が他の領域よりも強め（逆モードが優勢）になった時に、偏向走査装置２０通過後のビームプロファイルが良くなることも確認されている。
【００７３】
なお、偏向電極２１、２２の溝２１Ａ、２２Ａの寸法は、左右（ｘ軸方向）のビーム偏向にも影響を与えるので、それも考慮して最適化する。
【００７４】
上記のように、本発明による偏向電極の場合のような方向性をもった電場の方が、従来型に比べて均一にビームを偏向できる。
【００７５】
次に、作用について説明する。
【００７６】
２つの偏向電極２１、２２には逆相の三角波またはノコギリ波に近い交流電圧をかける。遮蔽電極２５、２６は上流側、下流側各１枚とし、グランドに接地する。なお、三角波またはノコギリ波に近い交流電圧に代えて、位相が同じで互いに逆極性の交流電圧、または位相が同じで互いに逆極性の三角波の交流電圧あるいは位相が同じで互いに逆極性の三角波に近い交流電圧をかけても良い。また、必要に応じて値が等しく位相が同じで互いに逆極性の交流電圧、交流矩形波あるいは交流正弦波電圧をかけても良く、交流電圧には直流成分が重畳されていても良い。偏向電極の走査周波数（掃引周波数）は、数十Ｈｚから数百Ｈｚ以上とし、場合によっては１ＫＨｚ以上とすることもある。
【００７７】
偏向走査装置２０を通過するビームは、偏向角により多少ビームの発散具合（エミッタンスの傾き）が変化するが、発散具合の変化は比較的小さくできるので、目的によっては無視してもよい。その場合、本偏向走査装置だけでビームの発散具合を変えずにビームを偏向できることになる。
【００７８】
図１では、ビームの発散具合の変化を強制的に除去するために、集束要素としてＱ−レンズ等によるビーム整形装置１３を備えている。Ｑ−レンズには４極磁石による電磁石式と４極電極による電場式とがある。この集束要素を偏向走査装置２０の印加電圧に同期して動作させれば、偏向角によらずビームの発散具合の変化を十分小さく抑えることができる。ビームの発散具合は、偏向角にほぼ比例して変化するので、集束要素の電流（電磁石式Ｑレンズの場合）または電圧（電場式Ｑレンズの場合）を偏向角に比例させればよい。
【００７９】
あるいはまた、偏向走査装置２０によって発散具合の変わったビームを再平行化する電極（図１ではＰレンズ１４）を備える場合、その再平行化電極を含めて、発散具合の変化を補正する。
【００８０】
なお、偏向電極の形状は、図２のものに限らず、様々な変更が可能である。例えば、偏向電極に形成される溝の断面形状は略円弧形に限らず、三角形以上の多角形でも良いが、できるだけ滑らかな方が良い。また、溝はｚ軸座標とともに変化する形状であっても良い。更に、溝の面はビームの最大スキャン軌道（最大スキャン角度範囲）に合うように略平行に曲がっていても良い。例えば、２つの偏向電極の２つの溝の面がそれぞれ下流側に向かって末広がりになるような形状でも良い。
【００８１】
図７〜図９は、上記の観点に基づいて変更された偏向電極の溝の例を示す。
【００８２】
図７は、図２に示したものと同様の２つの偏向電極２１、２２を下流側に向かって八の字状に広がるように配置した例である。これは、偏向電極はｚ軸（ビーム軸）に沿って平行である必要は無く、溝の中心軸はｚ軸の方向と同じであっても無くても良いという観点に基づいている。但し、２つの偏向電極２１、２２は、ｚ軸に関して対称であることが望ましい。
【００８３】
図８は、２つの偏向電極２１、２２の配置関係は図２と同様であるが、ｚ軸側の対向面に形成する溝２１Ａ−１、２２Ａ−１の形状、つまり断面円弧形状を下流側に向かって径が大きくなるようにした例である。これは、偏向電極の溝は、ｚ軸方向に眺めた断面がｚ軸座標とともに変化していても良いという観点に基づいている。但し、２つの偏向電極２１、２２は、ｚ軸に関して対称であることが望ましい。
【００８４】
図９は、２つの偏向電極２１、２２のｚ軸側の対向面に形成する溝２１Ａ−２、２２Ａ−２の形状を、断面円弧状であってしかも溝の深さがｚ軸方向の中間部において最も浅くなるようにｚ軸座標とともに変化させた例である。
【００８５】
なお、図７〜図９のいずれの例においても、前述したように、溝の断面形状は三角形以上の多角形でも良いことは言うまでもない。更に、図１０（ａ）に示すように、溝の断面形状が奥部の円弧状部分と上下の平坦部分とから成るものや、図１０（ｂ）に示すように、溝の断面形状が奥部の平坦部分と上下の円弧状部分とから成るものであっても良い。また、偏向電極２１、２２はそれぞれ一体構造で作られても良いし、複数の分割体として作った後、一体に組み合わされても良い。
【００８６】
図１０（ｃ）は、分割構造の一例を示す。ここでは、偏向電極２１（２２）について言えば、ｚ軸方向に３分割した分割体で構成している。各分割体は溝を、筒状体を縦に割った半筒状体２１−１（２２−１）、２１−２（２２−２）、２１−３（２２−３）で形成し、しかも半筒状体２１−２（２２−２）、２１−３（２２−３）は下流側に向かって２段階の角度で広がる形状を持つように作られている。また、半筒状体２１−１（２２−１）、２１−２（２２−２）、２１−３（２２−３）の下部、上部にはそれぞれ、これらを一体化するためのベース部２１−５（２２−５）、２１−６（２２−６）、２１−７（２２−７）（下部側のみ図示）を設け、ボルト等の結合手段で一体化するようにしている。
【００８７】
一方、遮蔽電極について言えば、その電位を自由に変更できるようにするのが好ましく、ビームの集束などを考慮して上流側、下流側の少なくとも一方を複数枚の遮蔽電極としてもよい。あるいはまた、遮蔽電極を上流側、下流側各２枚とし、偏向電極に近い方の電極はサプレッション電極（電子サプレッション電極）として−１〜−２ｋＶ程度の直流電圧をかけ、偏向電極に遠い方の電極はグランド電極としてグランドに接地するようにしても良い。
【００８８】
図１１、図１２は、上記の観点に基づいて変更された遮蔽電極の例を示す。
【００８９】
図１１は、開口部を持つ遮蔽電極に代えて、２枚の電極板２７−１と２７−２、２８−１と２８−１とをそれぞれ間隔をおいて突き合わせることでビーム通過用の開口部２７Ａ、２８Ａを形成した例を示す。勿論、２枚の電極板２７−１と２７−２には同じ電圧が印加され、電極板２８−１と２８−１にも同じ電圧が印加される。
【００９０】
図１２は、偏向電極２１、２２の上流側に２枚の遮蔽電極２５−１、２５−２を配置し、下流側には２枚の遮蔽電極２６−１、２６−２を配置した例を示す。各遮蔽電極には独立に電圧を印加できるようにすることが望ましく、上述したように、偏向電極に近い方の電極はサプレッション電極として−１〜−２ｋＶ程度の直流電圧をかけ、偏向電極から遠い方の電極はグランド電極としても良い。遮蔽電極２５−１と２５−２の開口部２５−１Ａと２５−２Ａのサイズ、遮蔽電極２６−１と２６−２の開口部２６−１Ａと２６−２Ａのサイズは同じであることが好ましいが、異なっていても良い。また、開口部の形状は、略長方形の他、中央部が両端部に比べて細くなるように開口の上下端が湾曲している形状でも良く、この場合、ビームに対する上下の発散、集束作用をある程度調節できる。
【００９１】
次に、図１３〜図１６を参照して、本発明による偏向走査装置の装着形態について説明する。図１３は偏向走査装置をイオンビームラインの途中経路に着脱自在に装着した構造を下流側から見た正面断面図、図１４は図１３に示された構造の主要部を上方から見た横断面図、図１５は偏向走査装置の着脱自在構造を示した斜視図である。また、図１６は偏向走査装置の着脱自在構造を、取り外し途中の状態にて示した斜視図である。
【００９２】
図１４、図１５に示すように、一対の偏向電極２１、２２とこれらの上流側近傍、下流側近傍に組み付けられた遮蔽電極２５、２６とが箱体５０内に収容、設置されている。箱体５０の上流側側面及び下流側側面であって、遮蔽電極２１、２２の開口部２１Ａ、２２Ａに対応する箇所にはそれぞれ、上流側開口部（図示省略）、開口部２２Ａより大きめの開口部５２Ａが設けられている。偏向電極及び遮蔽電極と電源との接続は、フィードスルー構造にて実現されている。すなわち、図１５、図１６では図示を省略しているが、箱体５０には、１つの側面に遮蔽電極２５、２６に直流電源を接続するためのターミナル５３、５４が設けられている。一方、箱体５０の上面には偏向電極２１、２２と電源とを接続するためのターミナル５５、５６とグランド用のターミナル５７が設けられている。箱体５０にはまた、ビーム軸に平行な２つの側面に、着脱や持ち運びに都合の良い取っ手５１が設けられている。なお、図１４に示される７０Ａ−３は偏向走査装置内の真空度を高めるための真空排気用の排気口であり、図示しない真空排気装置に接続されている。
【００９３】
図１３に示すように、箱体５０は、架台６０上に固定設置されたビームガイドボックス７０内にスライド自在に設置されている。ビームガイドボックス７０は箱体５０より十分に大きく、底部には箱体５０をスライド可能にするための２本のガイドレール７１が敷設されている。ガイドレール７１は、ビーム軸に直交する方向に延びており、その一端側のビームガイドボックス７０の側面は扉７２により開閉自在にされている。これにより、偏向走査装置の保守・点検時には箱体５０をビームガイドボックス７０から簡単に取り出すことができる。なお、ビームガイドボックス７０内に押し込まれた箱体５０をロックするために、ガイドレール７１の他端には係止機構７３が設けられている。ビームガイドボックス７０の上流側側面及び下流側側面であって、箱体５０の上流側開口部、下流側開口部５２Ａに対応する箇所にはそれぞれ、開口部７０Ａ−１，７０Ａ−２が設けられている。開口部７０Ａ−１は入射するビーム軌道がほとんど変化しないので大きくなくても良いが、開口部７０Ａ−２は出射するビームが偏向されるので開口部５２Ａより大きくする必要がある。ターミナル５３〜５７にはリード線（図示省略）が接続されているが、箱体５０の着脱時には取り外される。
【００９４】
ところで、図３に示したような縦幅に比べて横幅の大きな偏平形状（言い換えれば大口径）のビームを使用して、例えば直径３００ｍｍの半導体ウェハにイオン注入を行う場合、従来の偏向走査装置を使用する場合には以下のような点が要求される。
【００９５】
走査範囲が広いこと（例えば、走査角１３．５度）。
【００９６】
偏向電極間の間隔Ｌが大きいこと（例えば、数百ｍｍ以上）。
【００９７】
大きな走査角であってもビームプロファイルを歪めないこと。
【００９８】
しかしながら、図４（ａ）に示すような従来の偏向走査装置では上記の点を満足することは実質的に不可能である。
【００９９】
しかしながら、本発明による偏向走査装置を使用することにより、上記の点を満足しながら上記のようなビームに対応可能なイオン注入装置を実現することができる。
【０１００】
単純な平面の偏向電極による従来の偏向走査装置では、直径数十ｍｍ以上の大口径のビームを偏向させると、ビームのプロファイルが偏向角の変化や偏向電極間を通過する位置によって大きくかつ複雑に変化してしまう。
【０１０１】
これに対し、本発明による偏向走査装置においては、偏向電極を、ビームのプロファイルの変化をできるだけ小さくし、その変化が偏向角に対し規則正しくなるように設計することができる。
【０１０２】
電場を漏らさないように偏向電極の上流側、下流側には、それぞれサプレッション電極とグランド電極が配置される。この場合、サプレッション電極とグランド電極の開口は、ビームの横幅方向には幅広で、ビームの縦幅方向には電場をよく抑えるためにビームの縦幅より一回り幅広なだけで、縦横の比率の大きな長方形にされる。これにより、サプレッション電極及びグランド電極は、幅広の向きには電場が弱く、１０ｍＡ前後の大電流密度の荷電粒子ビームを発散させずに偏向走査することができ、しかも実用的でコンパクトな偏向走査装置により、荷電粒子ビームによる処理装置全体を従来と同じサイズで提供できる。
【０１０３】
また、偏向走査装置をイオンビームラインに対して着脱自在としたことにより保守、点検に伴う作業を容易にすることができる。
【０１０４】
以上のことから、本発明による偏向走査装置は、比較的径の大きな荷電粒子ビーム、断面形状が楕円形のような扁平形状の荷電粒子ビームをスキャン、ラスタリングするような荷電粒子ビームによる処理装置全般に適している。
【図面の簡単な説明】
【０１０５】
【図１】図１（ａ）はイオン注入装置の概略構成を平面図にて示し、図１（ｂ）は図１（ａ）の側面図である。
【図２】図２は本発明による偏向走査装置の基本構成を斜視図で示す。
【図３】図３は本発明による偏向走査装置についてｘ軸、ｙ軸、ｚ軸の関係を示すための図である。
【図４】図４（ａ）は従来の２つの偏向電極による電気力線及び電場を示し、図４（ｂ）は略円弧形の溝を持つ本発明の２つの偏向電極による電気力線及び電場を示す。
【図５】図５は本発明による偏向走査装置における上流側の遮蔽電極の開口部付近の電場のｙ軸成分を示した図である。
【図６】図６（ａ）は従来型の偏向電極による電場を説明するための図、図６（ｂ）は本発明による偏向電極による電場を説明するための図、図６（ｃ）は本発明における上流側の遮蔽電極と下流側の遮蔽電極とによる電場を説明するための図である。
【図７】本発明による２つの偏向電極の他の形態を示した斜視図である。
【図８】本発明による２つの偏向電極の更に他の形態を示した斜視図である。
【図９】本発明による２つの偏向電極の更に他の形態を示した斜視図である。
【図１０】図１０（ａ）は偏向電極に形成される溝形状の他の例を示した図、図１０（ｂ）は偏向電極に形成される溝形状の更に他の例を示した図、図１０（ｃ）は偏向電極を分割体で構成する場合の一例を示した横断面図である。
【図１１】図１１は本発明による偏向走査装置の遮蔽電極の他の例を示した図である。
【図１２】図１２は本発明による偏向走査装置の遮蔽電極の更に他の例を示した図である。
【図１３】図１３は本発明による偏向走査装置をイオンビームラインの途中経路に着脱自在に装着した構造を下流側から見た正面断面図である。
【図１４】図１４は図１３に示された構造の主要部を上方から見た横断面図である。
【図１５】図１５は本発明による偏向走査装置の着脱自在構造を示した斜視図である。
【図１６】図１６は本発明による偏向走査装置の着脱自在構造を、取り外し途中の状態について示した斜視図である。
【符号の説明】
【０１０６】
１１    イオンソース
１２    質量分析磁石装置
１３    ビーム整形装置
１４    Ｐ−レンズ
１５    加速／減速電極
１６    角度エネルギーフィルター
１７    ウェハ
１８    ビームストッパ
２０    偏向走査装置
２１、２２、３１、３２    偏向電極
２５、２６    遮蔽電極
５０    箱体
５１    取っ手
５３〜５７    ターミナル
６０    架台
７０    ビームガイドボックス
７１    ガイドレール
７２    扉
７３    係止機構
【図１】
2006156236.tif 000003
【図２】
2006156236.tif 000004
【図３】
2006156236.tif 000005
【図４】
2006156236.tif 000006
【図５】
2006156236.tif 000007
【図６】
2006156236.tif 000008
【図７】
2006156236.tif 000009
【図８】
2006156236.tif 000010
【図９】
2006156236.tif 000011
【図１０】
2006156236.tif 000012
【図１１】
2006156236.tif 000013
【図１２】
2006156236.tif 000014
【図１３】
2006156236.tif 000015
【図１４】
2006156236.tif 000016
【図１５】
2006156236.tif 000017
【図１６】
2006156236.tif 000018